(57)【要約】【課題】１つの移動手段により、開口を覆うための２つのスクリーンのいずれかを選択的に引き出すことのできるスクリーン装置を提供する。【解決手段】窓枠の対向する位置に２つのロール装置４，６が設置され、それぞれにスクリーン３，５が巻き取られている。スクリーン３，５は、スライダ２０，２１を両端に有し、それぞれガイドレールに沿って引き出し、巻き取ることが可能である。単一の移動手段８によってガイドレールに沿って移動する２組の係合離脱部材９，１０が、互いに開口幅程度離れている。一方の係合離脱部材９が、一方のスクリーン３に取り付けられたスライダ２０に係合しているときは、他方の係合離脱部材１０は、他方のスクリーン５に取り付けられたスライダ２１から離脱している。【選択図】図１
2014005643.tif 000002
【特許請求の範囲】
【請求項１】
開口を２つのスクリーンのいずれかにより選択的に覆うためのスクリーン装置であって、
前記開口の一側に設けられ、第１スクリーンを巻き取る第１ロール装置と、
前記開口の前記一側の反対側に設けられ、第２スクリーンを巻き取る第２ロール装置と、
前記開口の前記一側および前記反対側とは異なる側に設けられるガイドレールと、
前記第１スクリーンの端部に接続され、前記ガイドレールを摺動する第１スライダと、
前記第２スクリーンの端部に接続され、前記ガイドレールを摺動する第２スライダと、
前記ガイドレールに沿って移動され、前記第１スクリーンを引き出すとき及び前記第１スクリーンを巻き取るときには前記第１スライダに係合する一方、前記第１スクリーンが完全に巻き取られた後は前記第１スライダから離脱する第１係合離脱部材と、
前記ガイドレールに沿って移動され、前記第２スクリーンを引き出すとき及び前記第２スクリーンを巻き取るときには前記第２スライダに係合する一方、前記第２スクリーンが完全に巻き取られた後は前記第２スライダから離脱する第２係合離脱部材と、
前記第１係合離脱部材および前記第２係合離脱部材を移動させる単一の移動手段と、
を有することを特徴とするスクリーン装置。
【請求項２】
前記移動手段は、
駆動源と、
前記駆動源によって駆動されるワイヤと、
を有し、
前記第１係合離脱部材および第２係合離脱部材を前記ワイヤに取付けることで、前記第１係合離脱部材および前記第２係合離脱部材を移動させることを特徴とする請求項１に記載のスクリーン装置。
【請求項３】
前記第１係合離脱部材は、かしめにより前記ワイヤに取付けられる金属部品からなり、
前記ワイヤを挿通させる一方、前記金属部品を係止するワイヤ挿通金属部品係止手段を前記第１スライダに設けることで、前記第１スクリーンを引き出すとき及び前記第１スクリーンを巻き取るときには前記第１スライダに係合する一方、前記第１スクリーンが完全に巻き取られた後は前記第１スライダから離脱することを特徴とする請求項２に記載のスクリーン装置。
【請求項４】
前記第２係合離脱部材は、かしめにより前記ワイヤに取付けられる金属部品からなり、
前記ワイヤを挿通させる一方、前記金属部品を係止するワイヤ挿通金属部品係止手段を前記第２スライダに設けることで、前記第２スクリーンを引き出すとき及び前記第２スクリーンを巻き取るときには前記第２スライダに係合する一方、前記第２スクリーンが完全に巻き取られた後は前記第２スライダから離脱することを特徴とする請求項２または請求項３に記載のスクリーン装置。
【発明の詳細な説明】
【技術分野】
【０００１】
本発明は、開口を覆うことのできるスクリーン装置に関し、特に、住宅等の屋根に設けられた天窓の開口を２つのスクリーンのいずれかにより選択的に覆うためのスクリーン装置に関する。
【背景技術】
【０００２】
住宅の屋根等には、採光や換気のために天窓が設けられることがある。天窓には、採光量を調整するために開閉可能なシェードを設置することが望まれ、開閉式の天窓には、さらに、虫除けのために開閉可能な網戸を設置することが望まれる。
【０００３】
特許文献１には、窓部の対向両側縁に設置された２つのロール手段と、透明シート、不透明シート及び網状シートを連接した１枚の布状体とを有するロールブラインドが開示されている。布状体は、２つのロール手段に巻架配設されており、駆動チェーンによりロール手段を回転させると、布状態が移動し、窓部の正面に配置されるシートを順次切り替えることができる。
【先行技術文献】
【特許文献】
【０００４】
【特許文献１】実開昭５９−８００９３号公報
【発明の概要】
【発明が解決しようとする課題】
【０００５】
ロールタイプのスクリーンを天窓に設ける場合は、ロールの軸をロールの厚さの分だけ天窓の側縁から離して設置する必要がある。しかしながら、特許文献１に記載の発明では、複数のシートを連接して１枚の布状体としているため、一方のロール手段に布状体が巻き取られた状態においてはロール厚が大きくなる。すると、居住者に圧迫感を与えるため美観上好ましくないだけでなく、窓枠とシートとの間の隙間が大きくなって、太陽光の漏れや虫の侵入のおそれが高くなる。また、常に、何れかのシートが天窓を覆っているため、開閉式の天窓においては、換気機能を妨げる。
【０００６】
一方、２種類のスクリーン（シート）をそれぞれ独立に異なるロール手段に巻架し、そのそれぞれに移動手段を設けることにより、ロール厚を小さくする共に、解放状態を可能にして換気機能を発揮させることもできるが、このような構成とするとコストが増大する。
【０００７】
本発明は、このような背景に鑑みなされたもので、１つの移動手段によって、２つのロール手段にそれぞれ巻架されたスクリーンを選択的に開閉できるスクリーン装置を提供することを目的とする。
【課題を解決するための手段】
【０００８】
本発明にかかるスクリーン装置（１）は、開口を２つのスクリーンのいずれかにより選択的に覆うためのスクリーン装置（１）であって、前記開口の一側に設けられ、第１スクリーン（３）を巻き取る第１ロール装置（４）と、前記開口の前記一側の反対側に設けられ、第２スクリーン（６）を巻き取る第２ロール装置（６）と、前記開口の前記一側および前記反対側とは異なる側に設けられるガイドレール（２）と、前記第１スクリーン（３）の端部に接続され、前記ガイドレール（２）を摺動する第１スライダ（２０）と、前記第２スクリーン（６）の端部に接続され、前記ガイドレール（２）を摺動する第２スライダ（２１）と、前記ガイドレール（２）に沿って移動され、前記第１スクリーン（３）を引き出すとき及び前記第１スクリーン（３）を巻き取るときには前記第１スライダ（２０）に係合する一方、前記第１スクリーン（３）が完全に巻き取られた後は前記第１スライダ（２０）から離脱する第１係合離脱部材（９）と、前記ガイドレール（２）に沿って移動され、前記第２スクリーン（６）を引き出すとき及び前記第２スクリーン（６）を巻き取るときには前記第２スライダ（２１）に係合する一方、前記第２スクリーン（６）が完全に巻き取られた後は前記第２スライダ（２１）から離脱する第２係合離脱部材（１０）と、前記第１係合離脱部材（９）および前記第２係合離脱部材（１０）を移動させる単一の移動手段（８）と、を有することを特徴とする。このような構成を有することにより、単一の移動手段（８）で、対向する第１及び第２ロール手段（４，６）からそれぞれ第１及び第２スクリーン（３，５）を選択的に引き出し、開口を覆うことができる。
【０００９】
本発明のある側面によれば、前記移動手段（８）は、駆動源（７）と、前記駆動源によって駆動されるワイヤ（４４，４５）と、を有し、前記第１係合離脱部材（９）および第２係合離脱部材（１０）を前記ワイヤ（４４，４５）に取付けることで、前記第１係合離脱部材（９）および前記第２係合離脱部材（１０）を移動させることを特徴とする。このような構成は、第１及び第２スライダ（２０，２１）と第１及び第２係合離脱部材（９，１０）との係合離脱関係を実現する１つの具体的手段である。
【００１０】
本発明のある側面によれば、前記第１係合離脱部材（９）は、かしめにより前記ワイヤ（４４，４５）に取付けられる金属部品（９）からなり、前記ワイヤ（４４，４５）を挿通させる一方、前記金属部品（９）を係止するワイヤ挿通金属部品係止手段（２２）を前記第１スライダ（２０）に設けることで、前記第１スクリーン（３）を引き出すとき及び前記第１スクリーン（３）を巻き取るときには前記第１スライダ（２０）に係合する一方、前記第１スクリーン（３）が完全に巻き取られた後は前記第１スライダ（２０）から離脱することを特徴とする。
【００１１】
本発明のある側面によれば、前記第２係合離脱部材（１０）は、かしめにより前記ワイヤ（４４，４５）に取付けられる金属部品（１０）からなり、前記ワイヤ（４４，４５）を挿通させる一方、前記金属部品（１０）を係止するワイヤ挿通金属部品係止手段（２２）を前記第２スライダ（２１）に設けることで、前記第２スクリーン（６）を引き出すとき及び前記第２スクリーン（６）を巻き取るときには前記第２スライダ（２１）に係合する一方、前記第２スクリーン（６）が完全に巻き取られた後は前記第２スライダ（２１）から離脱することを特徴とする。これらの構成は、第１及び第２スライダ（２０，２１）と第１及び第２係合離脱部材（９，１０）との係合離脱関係を実現するさらに具体的な１つの手段である。
【発明の効果】
【００１２】
本発明によれば、１つの移動手段で、２つのロール装置に巻き取られたスクリーンを引き出すことができる。その際、第１係合離脱部材が第１スクリーンの横バーに係合するタイミングと、第２係合離脱部材が第２スクリーンの横バーに係合するタイミングとが異なるため、２つのスクリーンを選択的に引き出すことができ、何れかのスクリーンが引き出された状態や、何れのスクリーンも引き出されていない状態にすることができる。
【図面の簡単な説明】
【００１３】
【図１】実施形態に係るスクリーン装置の概略平面図
【図２】実施形態に係るスクリーン装置をガイドレールを省略して示す平面図
【図３】図２中のIII−III断面図
【図４】実施形態に係るスクリーン装置の機能を示す拡大平断面図
【図５】実施形態に係るスクリーン装置の横バー及びスライダの要部斜視図
【発明を実施するための形態】
【００１４】
以下、本発明に係るスクリーン装置１の実施形態を、図面を参照しながら説明する。なお、説明に当たって、スクリーンの可動方向を前後方向と言い、これに直交する方向を横方向と言う。また、図面の表示は、説明の便宜上、部材ごとに縮尺率が異なる。
【００１５】
図１は、本発明の実施形態に係るスクリーン装置１を模式的に示した概略平面図である。（ａ）は第１スクリーン３によって開口が覆われた状態、（ｂ）は開口が覆われていない状態、（ｃ）は第２スクリーン５によって開口が覆われた状態を示す。スクリーン装置１は、図示しない住宅の屋根の天窓の室内側に設置される。特に、開閉可能な天窓に適しているが、窓が開閉しない固定式の天窓にも適用できる。以下、天窓の窓枠が長方形又は正方形である場合を例に説明する。また、船舶の甲板の天窓や、自動車のサンルーフ、サンルームの天井に対して設置することもできる。
【００１６】
スクリーン装置１は、天窓の左右の窓枠に固定されて前後方向に延在する１対のガイドレール２と、ガイドレール２に沿って出没する第１スクリーン３と、ガイドレール２の一端側に設けられて第１スクリーン３をばね力で巻き取る第１ロール装置４と、ガイドレール２に沿って出没する第２スクリーン５と、ガイドレール２の他端側に設けられて第２スクリーン５をばね力で巻き取る第２ロール装置６と、第１スクリーン３の先端部に接続され、ガイドレール２を摺動する１対の第１スライダ２０と、第２スクリーン５の先端部に接続され、ガイドレール２を摺動する１対の第２スライダ２１と、第１及び第２スクリーン３，５を引き出すための駆動源たるモータ７及びモータ７により駆動されガイドレール２に沿って移動する部材を含む単一の移動手段８と、移動手段８に設けられ、ガイドレール２に沿って移動する第１係合離脱部材９及び第２係合離脱部材１０とを備える。
【００１７】
１対のガイドレール２の各々は、その上面１１又は外側側面１２において、図示しない開口を画定する窓枠の対向する側枠に固定される。また、各ガイドレール２の内側側面１３には、第１及び第２スクリーン３，５を摺動させるための図示しない１つの溝が設けられている。また、ガイドレール２の各々の、両端部付近には、第１及び第２スクリーン３，５が最大引き出し位置まで引き出されたことを検出するセンサ３０が取り付けられている（図３参照）。ガイドレール２は、例えばアルミニウム合金材の押出加工により形成される。
【００１８】
第１及び第２ロール装置４，６は、ガイドレール２の互いに相反する側の端部近傍に位置し、窓枠又は天井に固定される。第１及び第２ロール装置４，６の各々は、第１又は第２スクリーン３，５の基端側を挟持するロール軸１５を有する。ロール軸１５は、横方向に配置され、第１又は第２スクリーン３，５を基端側から巻き取るように、図示しないばねで付勢されている。
【００１９】
第１スクリーン３は、長方形又は正方形の第１シート１６を有する。また、第２スクリーン５は、長方形又は正方形の第２シート１７を有する。第１及び第２シート１６，１７は、互いに異なる機能又は特性を有するシートからなることが好ましい。例えば、虫除け用の網状シート、光の透過率が０％以上１００％以下の何れかに設定されてシェード等として機能する不透明又は透明シート、特定の波長帯の光（例えば赤外線・紫外線）のみを吸収する無色透明又は有色半透明シート、すだれ、及びシャッター等から選択される。図１に示す実施形態では、第１シート１６は網状シートからなり、第２シート１７は不透明シート（シェード）からなる。第１及び第２シート１６，１７に用いるシートの種類の組み合わせは、他の組み合わせでもよい。
【００２０】
第１及び第２スクリーン３，５の各々は、第１又は第２シート１６，１７の先端に取り付けられた横バー１８をさらに有する。図４及び図５に示すように、横バー１８は、横方向に延在して第１又は第２シート１６，１７の先端が取り付けられたハンドル１９と、ハンドル１９の両端上面から突出した突起２９とを有する。ハンドル１９の両端には、ガイドレール２を摺動する１対の第１スライダ２０又は第２スライダ２１が取り付けられ、１対の第１及び第２スライダ２０，２１の各々には、ワッシャ２２が取り付けられる。ここで、図４は、第１スクリーン３の拡大平断面図であり、図５は、横バー１８及び第１（第２）スライダ２０（２１）の斜視図である。
【００２１】
第１及び第２スライダ２０，２１は、ガイドレール２の溝に摺動可能に取り付けられる形状に構成される。また、第１及び第２スライダ２０，２１の上面２３及び下面２４には、後述する２本のワイヤ４４，４５が挿通される上ワイヤ溝２５，下ワイヤ溝２６が、ガイドレール２に平行に設けられている。１対のガイドレール２の各々には、第１及び第２スライダ２０，２１が１つずつ摺動可能に取り付けられているが（図１）、一方のガイドレール２に取り付けられた第１及び第２スライダ２０，２１の上ワイヤ溝２５には、各々、１つのワッシャ２２が取り付けられ、他方のガイドレール２に取り付けられた第１及び第２スライダ２０，２１の下ワイヤ溝２６には、各々、１つのワッシャ２２が取り付けられている。各ワッシャ２２は、ワイヤ４４，４５を挿通させ、第１及び第２係合離脱部材９，１０を係止する係止手段である。ワッシャ２２の取付位置を図４を用いて説明する。上ワイヤ溝２５及び下ワイヤ溝２６には、２つの拡幅部２７が設けられている。各スライダ２０，２１に取り付けられるワッシャ２２は、そのスライダ２０，２１を有する第１又は第２スクリーン３，５が巻き取られる方向側に設けられた拡幅部２７の中の、そのスクリーン２０，２１が引き出される方向側の拡幅壁面２８に固定される。なお、各スライダ２０，２１に合計４つの拡幅部２７を設けたのは、４つのスライダ部品の共通化のためである。よって、ワッシャ２２を設ける位置にのみ拡幅部２７を設けても良い。また、拡幅部２７を設けず、各スライダ２０，２１の上ワイヤ溝２５又は下ワイヤ溝２５部分の側壁にワッシャを取り付けても良い。
【００２２】
図３に示すように、図中右側に配置された第１スクリーン３が引き出され、第１スクリーン３の突起２９の上端側３１が対応する図中左側の第１スクリーン３用のセンサ３０の検出部１４の下端側３２に接触すると、モータ７が止まり、第１スクリーン３がそれ以上引き出されることを防止する。同様に、図中左側に配置された第２スクリーン５が引き出され、第２スクリーン５の突起２９の上端側３１が対応する図中右側の第２スクリーン５用のセンサ３０の検出部１４の下端側３２に接触すると、モータが止まり、第２スクリーン５がそれ以上引き出されることを防止する。そのため、第１スクリーン３の突起２９は、横方向において、第１スクリーン３用の検出部１４に整合しているが、第２スクリーン５用の検出部１４とは、ずれており、第２スクリーン５の突起２９は、横方向において、第２スクリーン５用の検出部１４に整合しているが、第１スクリーン３用の検出部１４とは、ずれている。
【００２３】
突起２９と検出部１４とが接触すると、検出部１４は、その上端側３３がピン３４で固定されているため、ピン３４を軸に回動する。そのため、第１又は第２スクリーン３，５が最大引き出し位置に到達したことがわかる。検出部１４は、対応する突起２９が離脱したとき、元の位置に戻るように対応する突起２９が存在する方向にばねで付勢されても良い。
【００２４】
次に、図２及び図３を用いて、移動手段８を説明する。図２及び図３は、ガイドレール２の主要部等を省略した、スクリーン装置１の平面図及び断面図である。
【００２５】
移動手段８は、第１及び第２スクリーン３，５を引き出すための単一の駆動源であるモータ７を含む。モータ７に代えて、公知の手動の駆動手段を設けてもよい。
【００２６】
移動手段８は、さらに、モータ７によって駆動されるプーリ４３と、プーリ４３に巻き取られる２本のワイヤ４４，４５と、ワイヤ４４，４５が窓枠の開口周りに環状に張設されるように配置された４つのワイヤガイド４６とを含む。
【００２７】
プーリ４３は、モータ７から動力を受けて回転する。プーリ４３は、モータ７の回転方向を変えることにより反転する。プーリ４３のワイヤ４４，４５を巻き取る面は、円筒の側面からなり、周長は一定である。プーリ４３は、前後方向においては、第２ロール装置６の外側、すなわち第２ロール装置６に対して第２スクリーン５が引き出される方向と反対側に配置され、横方向においては、両ガイドレール２間のほぼ中央に配置されることが望ましい。なお、プーリ４３を、第１スクリーン３の外側に配置してもよい。
【００２８】
４つのワイヤガイド４６は、それぞれ、ガイドレール２のほぼ延長線上、かつ第１及び第２ロール装置４，６の外側に配置される。プーリ４３の横方向に設置される２つのワイヤガイド４６は、プーリ４３と横方向において１列に並んでいることが望ましい。各ワイヤガイド４６は、上下に上段プーリ４７及び下段プーリ４８を備えることが望ましく、両プーリ４７，４８は、互いに逆方向に回転可能である。各々の上段プーリ４７は、一方のワイヤ４４をガイドし、各々の下段プーリ４８は、他方のワイヤ４５をガイドする。
【００２９】
２つのワイヤ４４，４５の各々は、両端がプーリ４３に固定され、かつ両端側が所定の回数だけプーリ４３に巻き取られている。一方のワイヤ４４は、両端側とも前後方向の外側からプーリ４３に巻き取られ又は巻き出され、他方のワイヤ４５は、両端側とも前後方向の内側からプーリ４３に巻き出され又は巻き取られている。両ワイヤ４４，４５が巻き取られ又は巻き出される位置は、プーリ４３と隣接するワイヤガイド４６とを結ぶ線に対して内側と外側とに分かれていれば良い。本実施形態では、その位置はプーリ４３側面の円周においてほぼ１８０°ずれている。また、ワイヤ４４，４５は、４つのワイヤガイド４６で湾曲し、両ガイドレール２及び第１スクリーン３付近に張設された部分は、互いに上下に重なっている。したがって、本実施形態では、ワイヤ４４は、長方形又は正方形の一辺が外側に折れ曲がった５角形の環状を呈し、ワイヤ４５は、長方形又は正方形の一辺が内側に折れ曲がった５角形の環状を呈する。以上の構成により、プーリ４３が一方向に回転すると、２本のワイヤ４４，４５の５角形の環状部分は、互いに逆の周方向に移動する。
【００３０】
図１を再度参照すると、第１及び第２係合離脱部材９，１０が、各々、２つのワイヤ４４，４５上に取り付けられている。一方のワイヤ４４に取り付けられた第１及び第２係合離脱部材９，１０は、ガイドレール２に沿って移動する時は、他方のワイヤ４５に取り付けられた第１及び第２係合離脱部材９，１０と、前後方向の中心線に対して左右対称な位置に配置される。第１及び第２係合離脱部材９，１０は、金属部品からなり、かしめによりワイヤ４４，４５に取り付けられている。同一のワイヤ４４，４５上に設けられた第１及び第２係合離脱部材９，１０間のワイヤ４４，４５に沿った距離は、第１及び第２スクリーン３，５が第１及び第２ロールに収納された状態での２つの横バー１８間の距離以上、すなわち前後方向の開口幅以上である。第１及び第２係合離脱部材９，１０は、スライダ２０の上ワイヤ溝２５及び下ワイヤ溝２６に侵入できるが、ワッシャ２２には係合する大きさである。なお、図１では、第１及び第２係合離脱部材９，１０の配置を説明するために、両ワイヤ４４，４５をずらして描いてあるが、実際は、ワイヤ４４，４５は、図２に示すように、第２ロール装置６側では、互いにプーリ４３の側面の反対側から張設されてワイヤガイド４６に至り、それ以外の部分では互いに上下に重なっている。
【００３１】
次に、図１を参照して、本発明にかかるスクリーン装置１の作動状況について説明する。
【００３２】
スクリーン装置１の操作は、図示しないリモコン又は室内の壁に取り付けられた図示しない有線の操作盤によって行われる。
【００３３】
モータ７を作動させると、プーリ４３が回転する。プーリ４３が右回りに回転すると、一方のワイヤ４４は、プーリ４３の右側に位置する部分がプーリ４３に巻き取られると同時に、プーリ４３に巻き取られていた部分が左側から巻き出される。巻き取られる部分の長さと巻き出される部分の長さが等しいため、ワイヤ４４の環状部分は、環状を保ったまま右回りに回転する。この時、他方のワイヤ４５は、プーリ４３の左側に位置する部分がプーリ４３に巻き取られると同時に、プーリ４３に巻き取られていた部分が右側から巻き出される。巻き取られる部分の長さと巻き出される部分の長さが等しいため、ワイヤ４５の環状部分は、環状を保ったまま左回りに回転する。
【００３４】
プーリ４３が左回りに回転すると、一方のワイヤ４４と他方のワイヤ４５との動きが逆になる。すなわち、一方のワイヤ４４は、プーリ４３の左側に位置する部分がプーリ４３に巻き取られると同時に、プーリ４３に巻き取られていた部分が右側から巻き出される。巻き取られる部分の長さと巻き出される部分の長さが等しいため、ワイヤ４４の環状部分は、環状を保ったまま左回り回転する。この時、他方のワイヤ４５は、プーリ４３の右側に位置する部分がプーリ４３に巻き取られると同時に、プーリ４３に巻き取られていた部分が左側から巻き出される。巻き取られる部分の長さと巻き出される部分の長さが等しいため、ワイヤ４５の環状部分は、環状を保ったまま右回りに回転する。
【００３５】
プーリ４３のワイヤ４４，４５を巻き取る面の円周が一定であるため、両ワイヤ４４，４５が移動する速さは互いに等しい。すると、一方のワイヤ４４上の第１及び第２係合離脱部材９，１０は、少なくともガイドレール２に沿って移動する時は、他方のワイヤ４５上の第１及び第２係合離脱部材９，１０と左右対称を保ったまま移動する。よって、１対の第１係合離脱部材９と第１スライダ２０との係合又は離脱は、同時に行われ、１対の第２係合離脱部材１０と第２スライダ２１との係合又は離脱は、同時に行われる。
【００３６】
図１（ｂ）は、第１及び第２スクリーン３，５が巻き取られた状態である。この状態から、プーリ４３を右回りに回転させると、一方のワイヤ４４の環状部分が右回りに移動し、他方のワイヤ４５の環状部分が左回りに移動するため、２つの第１係合離脱部材９は、第１スライダ２０に取り付けられた２つのワッシャ２２に同時に係合する。すると、第１ロール装置４のばね力に抗して、１対の第１スライダ２０がガイドレール２上を図１の下方に摺動し、第１スクリーン３が引き出される。この間、２つの第２係合離脱部材１０は、第２スライダ２１から離脱しており、プーリ４３にワイヤ４４，４５と共に巻き取られる。そのため、第２スクリーン５は、第２ロール装置６に巻き取られた状態を保つ。図１（ａ）は、第１スクリーン３が完全に引き出された状態を示す。この時、第１スクリーン３の横バー１８の突起２９が、対応する検出部１４に係合しており、モータ７及びプーリ４３は停止する。
【００３７】
図１（ａ）の状態から、プーリ４３を逆回転、すなわち左回りに回転させると、一方のワイヤ４４の環状部分が左回りに移動し、他方のワイヤ４５の環状部分が右回りに移動し、かつ第１ロール装置４のロール軸１５が第１スクリーン３を巻き取る方向にばね付勢されているため、２つの第１係合離脱部材９は、第１スライダ２０の２つのワッシャ２２との係合を保った移動する。すると、１対の第１スライダ２０がガイドレール２上を図１の上方に摺動し、第１スクリーン３が巻き取られ、図１（ｂ）の状態に戻る。第１スクリーン３が完全に巻き取られるまでは、２つの第２係合離脱部材１０は、第２スライダ２１から離脱しているため、第２スクリーン５は、第２ロール装置６に巻き取られた状態を保つ。
【００３８】
図１（ｂ）の状態から、プーリ４３をさらに左回りに回転させると、一方のワイヤ４４の環状部分が左回りに移動し、他方のワイヤ４５の環状部分が右回りに移動するため、１対の第２係合離脱部材１０は、第２スライダ２１のワッシャ２２に同時に係合する。すると、第２ロール装置６のばね力に抗し、１対の第２スライダ２１がガイドレール２上を図１の上方に摺動し、第２スクリーン５が引き出される。この間、２つの第１係合離脱部材９は、第１スライダ２０から離脱しているため、第１スクリーン３は、第１ロール装置４に巻き取られた状態を保つ。図１（ｃ）は、第２スクリーンが完全に引き出された状態を示す。この時、第２スクリーン５の横バー１８の突起２９が、対応する検出部１４に係合しており、モータ７及びプーリ４３は停止する。
【００３９】
図１（ｃ）の状態から、プーリ４３を逆回転、すなわち右回りに回転させると、一方のワイヤ４４の環状部分が右回りに移動し、他方のワイヤ４５の環状部分が左回りに移動し、かつ第２ロール装置６のロール軸１５が第２スクリーン５を巻き取る方向にばね付勢されているため、２つの第２係合離脱部材１０は、第２スライダ２１の２つのワッシャ２２との係合を保った移動する。すると、第２スライダ２１がガイドレール２上を図１の下方に摺動し、第２スクリーン５が巻き取られ、図１（ｂ）の状態に戻る。第２スクリーン５が完全に巻き取られるまでは、２つの第１係合離脱部材９は、第１スライダ２０から離脱しているため、第１スクリーン３は、第１ロール装置４に巻き取られた状態を保つ。
【００４０】
以上で具体的実施形態についての説明を終えるが、本発明は上記実施形態に限定されるものではない。例えば、上記実施形態では、移動手段８は、プーリ４３と、両端がプーリ４３に巻き取られ環状を形成する２本のワイヤ４４，４５とを有するが、第１及び第２係合離脱部材９，１０を固定でき、かつガイドレール２に沿って押し引き可能な他の手段を用いることができる。例えば、移動手段８を、モータと、モータによって回転駆動するドライブギヤと、前記ドライブキヤに噛み合うドリブンギヤと、前記ドリブンキヤに噛み合う１対のラックベルトとから構成しても良い。また、両端がプーリ４３に巻き取られた環状の２本のワイヤ４４，４５の代わりに、両端が互いに結合した２本の無端環状のワイヤ又はベルトを用い、プーリとの間の摩擦力によって、ワイヤ又はベルトを動かしても良い。また、プーリ４３と２本のワイヤ４４，４５の代わりに、スプロケットと１対のチェーンを用いても良い。これらの変更のほか、具体的形状などは、発明の趣旨を逸脱しない範囲であれば適宜変更可能である。
【符号の説明】
【００４１】
１  スクリーン装置
２  ガイドレール
３  第１スクリーン
４  第１ロール装置
５  第２スクリーン
６  第２ロール装置
７  モータ（駆動源）
８  移動手段
９  第１係合離脱部材
１０  第２係合離脱部材
１６  第１シート
１７  第２シート
１８  横バー
２０  第１スライダ
２１  第２スライダ
２２  ワッシャ（係止手段）
４３  プーリ
４４，４５  ワイヤ
４６  ワイヤガイド
【図１】
2014005643.tif 000003
【図２】
2014005643.tif 000004
【図３】
2014005643.tif 000005
【図４】
2014005643.tif 000006
【図５】
2014005643.tif 000007